(57)【要約】  本発明は、アクセス方法及び、対応するアクセスノード、端末と通信ネットワークを開示する。アクセスノードは、複数のサブサービスネットワークと接続し、複数のサブサービスネットワークは、異なるサービスにサービスを提供するように構成され、アクセスノードは、端末から送信されたアクセス要求のメッセージを受信した後に、前記複数のサブサービスネットワークの中から、前記端末に一つのサブサービスネットワークを選択してあげ、その後、アクセスノードは、選択した前記サブサービスネットワークに、前記端末のアクセス要求のメッセージを送信する。端末は、取得した複数のサブサービスネットワークの情報に基づいて、その中から一つ又は複数のサブサービスネットワークを選択して、アクセスを決定したサブサービスネットワークとすることができる。【選択図】図５
2018524845.tif 000002
【特許請求の範囲】
【請求項１】
アクセス方法であって、複数のサブサービスネットワークに接続するアクセスノードに適用し、前記複数のサブサービスネットワークは、異なるサービスにサービスを提供するように構成され、
端末から送信されたアクセス要求のメッセージを受信することと、
前記複数のサブサービスネットワークの中から、前記端末に一つのサブサービスネットワークを選択してあげることと、
選択した前記サブサービスネットワークに、前記端末のアクセス要求のメッセージを送信することと、
を含む、前記アクセス方法。
【請求項２】
前記複数のサブサービスネットワークの中から、前記端末に一つのサブサービスネットワークを選択してあげることは、
選択ポリシーに基づいて、前記複数のサブサービスネットワークの中から、前記端末に一つのサブサービスネットワークを選択してあげることを含み、前記選択ポリシーは、
端末属性、
端末サービス、
サブサービスネットワーク負荷、
サブサービスネットワークの使用可能な状態、及び
端末のアクセス済みのサブサービスネットワーク、
のうちの一つ又は複数のポリシー要素を含む、請求項１に記載のアクセス方法。
【請求項３】
前記選択ポリシーは、
端末の端末属性に対応するサブサービスネットワークを選択することと、
端末の端末サービスに対応するサブサービスネットワークを選択することと、
端末の端末属性と端末サービスとに対応するサブサービスネットワークとを選択すること、
のうちの一つ又は複数のポリシーを含む、請求項２に記載のアクセス方法。
【請求項４】
前記選択ポリシーは、
端末の端末属性及び／又は端末サービスには、対応するサブサービスネットワークが存在しない場合、前記端末に一つのデフォルトのサブサービスネットワークを選択してあげることと、
端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげること、
のうちの一つ又は複数のポリシーをさらに含む請求項３に記載のアクセス方法。
【請求項５】
前記選択ポリシーは、前記端末が既に一つのサブサービスネットワークにアクセスしている場合、前記アクセスしているサブサービスネットワークを優先的に選択すること、
を含む、請求項２又は３又は４に記載のアクセス方法。
【請求項６】
前記端末から送信されたアクセス要求のメッセージは、
端末属性の情報と、
端末サービスの情報と、
端末のアクセス済みのサブサービスネットワークの情報、
のうちの一つ又は複数の情報を含む、請求項２又は３又は４に記載のアクセス方法。
【請求項７】
前記端末属性は、通常移動ネットワーク端末、モノのインターネット端末、カーネットワーク端末、工業制御端末、遠隔医療端末、及び低移動性端末のうちの一つ又は複数を含み、
前記端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含む、請求項２又は３又は４に記載のアクセス方法。
【請求項８】
前記端末から送信されたアクセス要求のメッセージは、前記端末のアクセスを決定した一つ又は複数のサブサービスネットワークの情報を含み、
前記複数のサブサービスネットワークの中から、前記端末に一つのサブサービスネットワークを選択してあげることは、前記端末のアクセスを決定した前記サブサービスネットワークの中から、前記端末に一つのサブサービスネットワークを選択してあげることを含む、
請求項１に記載のアクセス方法。
【請求項９】
接続している前記複数のサブサービスネットワークの情報、又は前記複数のサブサービスネットワークのうちの現在使用可能なサブサービスネットワークの情報と、
端末属性及び／又は端末サービスと、サブサービスネットワークとの対応関係の情報、
のうちの一つ又は複数の情報を端末にブロードキャストすることをさらに含む、
請求項１〜４、８のいずれか１項に記載のアクセス方法。
【請求項１０】
前記サブサービスネットワークは、移動ネットワークアーキテクチャにおけるコアネットワークに含まれているサブサービスネットワーク、又は次世代移動ネットワークアーキテクチャにおける、端末にサービスを提供するサブサービスネットワークであり、前記アクセスノードは、移動ネットワークアーキテクチャにおける基地局、又は次世代移動ネットワークアーキテクチャにおける端末アクセスデバイスである。
請求項１に記載のアクセス方法。
【請求項１１】
前記端末から送信されたアクセス要求のメッセージは、
アタッチ要求メッセージと、
位置エリア更新メッセージ、
のうちの一つ又は複数メッセージを含む、
請求項１〜４、８、１０のいずれか１項に記載のアクセス方法。
【請求項１２】
アクセス方法であって、端末に適用し、
複数のサブサービスネットワークの情報を取得することと、
前記複数のサブサービスネットワークの中から、一つ又は複数のサブサービスネットワークを選択して、アクセスを決定したサブサービスネットワークとすることと、
アクセスノードに、アクセスを決定した前記サブサービスネットワークの情報を含むアクセス要求のメッセージを送信することと、
を含む、前記アクセス方法。
【請求項１３】
前記複数のサブサービスネットワークの中から、一つ又は複数のサブサービスネットワークを選択することは、
選択ポリシーに基づいて、前記複数のサブサービスネットワークの中から、一つ又は複数のサブサービスネットワークを選択することを含み、
前記選択ポリシーは、
端末属性、
端末サービス、及び、
端末のアクセス済みのサブサービスネットワーク、
のうちの一つ又は複数のポリシー要素を含む、請求項１２に記載のアクセス方法。
【請求項１４】
前記選択ポリシーは、
自端末の端末属性に対応するサブサービスネットワークを選択することと、
自端末の端末サービスに対応するサブサービスネットワークを選択することと、
自端末の端末属性と端末サービスとに対応するサブサービスネットワークを選択することと、
自端末が既に一つのサブサービスネットワークにアクセスしている場合、既にアクセスしている該サブサービスネットワークを優先的に選択すること、
のうちの一つ又は複数のポリシーを含む、請求項１３に記載のアクセス方法。
【請求項１５】
前記端末は、前記アクセスノードから送信されたブロードキャストメッセージから、端末属性及び／又は端末サービスと、サブサービスネットワークとの対応関係の情報を取得すること、
をさらに含む、請求項１３又は１４に記載のアクセス方法。
【請求項１６】
前記端末の端末属性は、通常移動ネットワーク端末、モノのインターネット端末、カーネットワーク端末、工業制御端末、遠隔医療端末と低移動性端末のうちの一つ又は複数を含み、
前記端末の端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含む、請求項１３又は１４に記載のアクセス方法。
【請求項１７】
前記端末は、移動ネットワークアーキテクチャにおける端末であり、前記アクセスノードは、移動ネットワークアーキテクチャにおける基地局、又は次世代移動ネットワークアーキテクチャにおける端末アクセスデバイスである、
請求項１２に記載のアクセス方法。
【請求項１８】
前記複数のサブサービスネットワークの情報を取得することは、
前記アクセスノードから送信されたブロードキャストメッセージから、前記複数のサブサービスネットワークの情報を取得すること、
を含む、請求項１２〜１４、１７のいずれか１項に記載のアクセス方法。
【請求項１９】
アクセスノードであって、
端末から送信されたアクセス要求のメッセージを受信するように構成される第１インターフェースモジュールと、
自アクセスノードから接続している複数のサブサービスネットワークから、前記端末に一つのサブサービスネットワークを選択してあげるように第１ネットワーク選択モジュールと、
選択した前記サブサービスネットワークに、前記端末のアクセス要求のメッセージを送信するように構成される第２インターフェースモジュールと、
を含み、ここで、前記複数のサブサービスネットワークは、異なるサービスにサービスを提供するように構成される、前記アクセスノード。
【請求項２０】
通信ネットワークであって、
複数のサブサービスネットワークを含むサービスネットワークと、
複数のサブサービスネットワークに接続するアクセスノードを含むアクセスネットワークと、
を含み、前記複数のサブサービスネットワークは、異なるサービスにサービスを提供するように構成され、前記アクセスノードは、接続している複数のサブサービスネットワークから、端末に一つのサブサービスネットワークアクセスを選択してあげるように構成される、前記通信ネットワーク。
【請求項２１】
端末であって、
複数のサブサービスネットワークの情報を取得し、アクセスノードに、第２ネットワーク選択モジュールのアクセスを決定した前記サブサービスネットワークの情報を含むアクセス要求のメッセージを送信するように構成されるインターフェースモジュールと、
前記インターフェースモジュールから取得した複数のサブサービスネットワーク中から、一つ又は複数のサブサービスネットワークを選択して、アクセスを決定したサブサービスネットワークとするように構成される第２ネットワーク選択モジュールと、
を含む、前記端末。
【請求項２２】
コンピュータ読み取り可能な記憶媒体であって、請求項１〜１８のいずれか１項の方法を実行するためのコンピュータでの実行可能な命令が記憶される、前記コンピュータ読み取り可能な記憶媒体。
【発明の詳細な説明】
【技術分野】
【０００１】
本発明は通信分野に関するが、通信分野に限らない。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシップ・プロジェクト）に対応する次世代移動無線ネットワークプロジェクトはシステムアーキテクチャエボリューション（Ｓｙｓｔｅｍ  Ａｒｃｈｉｔｅｃｔｕｒｅ  Ｅｖｏｌｕｔｉｏｎ、ＳＡＥと略称する）と呼ばれる。ＳＡＥのアーキテクチャは図１に示すように、Ｅ−ＲＡＮ、ＨＳＳ、ＭＭＥ、Ｓｅｒｖｉｎｇ  ＧＷ、ＰＤＮ  ＧＷ、ＰＣＲＦのような下記のネットワーク要素を含む。
【０００３】
Ｅ−ＲＡＮ（Ｅｖｏｌｖｅｄ  ＲＡＮ）は、進化型無線アクセスネットワークであり、より高速なアップリンク及びダウンリンクレート、より低い伝送遅延、及びより信頼性の高い無線伝送を提供することができる。Ｅ−ＲＡＮに含まれるネットワーク要素は、端末アクセスのための無線リソースを提供するｅＮｏｄｅＢ（Ｅｖｏｌｖｅｄ  ＮｏｄｅＢ）である。
【０００４】
ＨＳＳ（Ｈｏｍｅ  Ｓｕｂｓｃｒｉｂｅｒ  Ｓｅｒｖｅｒ）は、ユーザサーバに属し、ユーザの登録データを永続的に記憶する。
【０００５】
ＭＭＥ（Ｍｏｂｉｌｉｔｙ  Ｍａｎａｇｅｍｅｎｔ  Ｅｎｔｉｔｙ：モビリティマネージメントエンティティ)は、制御プレーン機能エンティティ、ユーザデータを一時的に記憶するサーバ、ＵＥコンテキスト（例えば、ＵＥ／ユーザ識別子、移動性管理ステータス、ユーザセキュリティパラメータなど）の管理と記憶を役割しており、ユーザに一時的な識別子を割り当て、ＵＥが該トラッキングエリア又は該ネットワークに駐在した場合、ユーザへの認証を役割し、ＭＭＥとＵＥとの間のすべての非アクセス層メッセージを処理し、ＳＡＥにおけるページングをトリガする。
【０００６】
Ｓｅｒｖｉｎｇ  ＧＷ（Ｇａｔｅｗａｙ）は、サービングゲートウェイであり、該ゲートウェイはユーザプレーンエンティティであり、ユーザプレーンデータルーティングの処理を関与し、アイドル状態でのＵＥダウンリンクデータの伝送を済ませる。ＵＥのＳＡＥベアラ（ｂｅａｒｅｒ）コンテキスト、例えば、ＩＰベアラサービスパラメータとネットワーク内部ルーティング情報などを管理して記憶する。それは３ＧＰＰシステム内部のユーザプレーンのアンカーポイントであり、一つのユーザは一度に一つのＳｅｒｖｉｎｇ  ＧＷのみが提供される。
【０００７】
ＰＤＮ  ＧＷは、パケットデータネットワークのゲートウェイであり、ＵＥのＰＤＮのゲートウェイへのアクセス、ユーザＩＰアドレスの割り当てを役割しており、同時に３ＧＰＰと非３ＧＰＰアクセスシステムのモビリティアンカーポイントである。ユーザは一度に複数のＰＤＮ  ＧＷにアクセスすることができる。
【０００８】
ＰＣＲＦ（Ｐｏｌｉｃｙ  ａｎｄ  Ｃｈａｒｇｉｎｇ  Ｒｕｌｅ  Ｆｕｎｃｔｉｏｎａｌｉｔｙ）は、ポリシーおよび課金ルール機能エンティティであり、該機能エンティティは、主にサービス情報、ユーザ契約情報及びキャリアの設定情報に基づいて、ユーザデータ伝送を制御するためのＱｏｓ（Ｑｕａｌｉｔｙ  ｏｆ  Ｓｅｒｖｉｃｅ：サービス品質)ルール及び課金ルールを生成する。該機能エンティティは、アクセスネットワークにおけるベアラの確立およびリリースを制御することもできる。
【０００９】
２Ｇ時代から始まり、４Ｇ移動ネットワークまで、いずれもコアネットワーク（ＣＮ：Ｃｏｒｅ  Ｎｅｔｗｏｒｋ）を含み、端末へのネットワークのアクセスを提供している。コアネットワークと呼ばれる理由は、通常、高キャパシティ、高スループットを提供し、集中設置で大量の無線アクセスの収束するからである。コアネットワークの集中設置の利点は明白であり、ネットワーク構築は単純であり、データの統合計画によって維持しやすい。しかし、コアネットワークの集中設置にも欠点があり、集中設置によって装置の形態が単一でしかも複雑であり、新たなサービスの開発が困難であり、アップグレードまたは交換にはしばしば大きな影響を伴う。
【発明の概要】
【００１０】
以下は本発明の詳細説明の概要である。本概要は、特許請求の範囲を限定するものではない。
【００１１】
現在、世界の多くの組織は次世代移動ネットワークに関する研究を始めっている。次世代ネットワークにモノのインターネット（Ｉｎｔｅｒｎｅｔ  ｏｆ  ｔｈｉｎｇｓ：ＩｏＴ）、カーネットワーク及び医療ネットワークなどの専用ネットワークのニーズが存在し、集中的に設置された巨大なネットワークは、様々な専用ネットワークに向ける差異化されるサービスニーズを提供することができない。
【００１２】
本発明は、以下の技術案を提供している。
【００１３】
アクセス方法であって、複数のサブサービスネットワークに接続するアクセスノードに適用し、前記複数のサブサービスネットワークは、異なるサービスにサービスを提供するように構成され、前記方法は、
端末から送信されたアクセス要求のメッセージを受信することと、
前記複数のサブサービスネットワークの中から、前記端末に一つのサブサービスネットワークを選択してあげることと、
選択した前記サブサービスネットワークに、前記端末のアクセス要求のメッセージを送信することと、
を含む。
【００１４】
選択肢として、
前記複数のサブサービスネットワークの中から、前記端末に一つのサブサービスネットワークを選択してあげることは、
選択ポリシーに基づいて、前記複数のサブサービスネットワークの中から、前記端末に一つのサブサービスネットワークを選択してあげることを含み、前記選択ポリシーは、
端末属性、
端末サービス、
サブサービスネットワーク負荷、
サブサービスネットワークの使用可能な状態、及び
端末のアクセス済みのサブサービスネットワーク、
のうちの一つ又は複数のポリシー要素を含む。
【００１５】
選択肢として、
前記選択ポリシーは、
端末の端末属性に対応するサブサービスネットワークを選択することと、
端末の端末サービスに対応するサブサービスネットワークを選択することと、
端末の端末属性と端末サービスとに対応するサブサービスネットワークとを選択すること、
のうちの一つ又は複数のポリシーを含む。
【００１６】
選択肢として、
前記選択ポリシーは、
端末の端末属性及び／又は端末サービスには、対応するサブサービスネットワークが存在しない場合、前記端末に一つのデフォルトのサブサービスネットワークを選択してあげることと、
端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげること、
のうちの一つ又は複数のポリシーをさらに含む。
【００１７】
選択肢として、
前記選択ポリシーは、前記端末が既に一つのサブサービスネットワークにアクセスしている場合、前記アクセスしているサブサービスネットワークを優先的に選択することを含む。
【００１８】
選択肢として、
前記端末から送信されたアクセス要求のメッセージは、
端末属性の情報と、
端末サービスの情報と、
端末のアクセス済みのサブサービスネットワークの情報、
のうちの一つ又は複数の情報を含む。
【００１９】
選択肢として、
前記端末属性は、通常移動ネットワーク端末、モノのインターネット端末、カーネットワーク端末、工業制御端末、遠隔医療端末、及び低移動性端末のうちの一つ又は複数を含み、
前記端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含む。
【００２０】
選択肢として、
前記端末から送信されたアクセス要求のメッセージは、前記端末のアクセスを決定した一つ又は複数のサブサービスネットワークの情報を含む。
【００２１】
前記複数のサブサービスネットワークの中から、前記端末に一つのサブサービスネットワークを選択してあげることは、前記端末のアクセスを決定した前記サブサービスネットワークの中から、前記端末に一つのサブサービスネットワークを選択してあげることを含む。
【００２２】
選択肢として、
前記方法は、
接続している前記複数のサブサービスネットワークの情報、又は前記複数のサブサービスネットワークのうちの現在使用可能なサブサービスネットワークの情報と、
端末属性及び／又は端末サービスと、サブサービスネットワークとの対応関係の情報、
のうちの一つ又は複数の情報を端末にブロードキャストすることをさらに含む。
【００２３】
選択肢として、
前記サブサービスネットワークは、移動ネットワークアーキテクチャにおけるコアネットワークに含まれているサブサービスネットワーク、又は次世代移動ネットワークアーキテクチャにおける、端末にサービスを提供するサブサービスネットワークであり、前記アクセスノードは、移動ネットワークアーキテクチャにおける基地局、又は次世代移動ネットワークアーキテクチャにおける端末アクセスデバイスである。
【００２４】
選択肢として、
前記端末から送信されたアクセス要求のメッセージは、
アタッチ要求メッセージと、
位置エリア更新メッセージ、
のうちの一つ又は複数メッセージを含む。
【００２５】
アクセスノードは、移動ネットワークアーキテクチャにおける基地局、又は次世代移動ネットワークアーキテクチャにおける端末アクセスデバイスである。
【００２６】
アクセス方法であって、端末に適用し、前記方法は、
複数のサブサービスネットワークの情報を取得することと、
前記複数のサブサービスネットワークの中から、一つ又は複数のサブサービスネットワークを選択して、アクセスを決定したサブサービスネットワークとすることと、
アクセスノードに、アクセスを決定した前記サブサービスネットワークの情報を含むアクセス要求のメッセージを送信することと、
を含む。
【００２７】
選択肢として、
前記複数のサブサービスネットワークの中から、一つ又は複数のサブサービスネットワークを選択することは、
選択ポリシーに基づいて、前記複数のサブサービスネットワークの中から、一つ又は複数のサブサービスネットワークを選択することを含み、
前記選択ポリシーは、
端末属性、
端末サービス、及び、
端末のアクセス済みのサブサービスネットワーク、
のうちの一つ又は複数のポリシー要素を含む。
【００２８】
選択肢として、
前記選択ポリシーは、
自端末の端末属性に対応するサブサービスネットワークを選択することと、
自端末の端末サービスに対応するサブサービスネットワークを選択することと、
自端末の端末属性と端末サービスとに対応するサブサービスネットワークを選択することと、
自端末が既に一つのサブサービスネットワークにアクセスしている場合、既にアクセスしている該サブサービスネットワークを優先的に選択すること、
のうちの一つ又は複数のポリシーを含む。
【００２９】
選択肢として、
前記方法は、
前記端末は、前記アクセスノードから送信されたブロードキャストメッセージから、端末属性及び／又は端末サービスと、サブサービスネットワークとの対応関係の情報を取得すること、
をさらに含む。
【００３０】
選択肢として、
前記端末の端末属性は、通常移動ネットワーク端末、モノのインターネット端末、カーネットワーク端末、工業制御端末、遠隔医療端末と低移動性端末のうちの一つ又は複数を含み、
前記端末の端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含む。
【００３１】
選択肢として、
前記端末は、移動ネットワークアーキテクチャにおける端末であり、前記アクセスノードは、移動ネットワークアーキテクチャにおける基地局、又は次世代移動ネットワークアーキテクチャにおける端末アクセスデバイスである。
【００３２】
選択肢として、
前記複数のサブサービスネットワークの情報を取得することは、
前記アクセスノードから送信されたブロードキャストメッセージから、前記複数のサブサービスネットワークの情報を取得すること、
を含む。
【００３３】
アクセスノードであって、
端末から送信されたアクセス要求のメッセージを受信するように構成される第１インターフェースモジュールと、
自アクセスノードから接続している複数のサブサービスネットワークから、前記端末に一つのサブサービスネットワークを選択してあげるように第１ネットワーク選択モジュールと、
選択した前記サブサービスネットワークに、前記端末のアクセス要求のメッセージを送信するように構成される第２インターフェースモジュールと、
を含み、ここで、前記複数のサブサービスネットワークは、異なるサービスにサービスを提供するように構成される。
【００３４】
選択肢として、
前記第１ネットワーク選択モジュールは、
選択ポリシーに基づいて、前記複数のサブサービスネットワークの中から、前記端末に一つのサブサービスネットワークを選択してあげるように構成され、前記選択ポリシーは、
端末属性、
端末サービス、
サブサービスネットワーク負荷、
サブサービスネットワークの使用可能な状態、及び、
端末のアクセス済みのサブサービスネットワーク、
のうちの一つ又は複数のポリシー要素を含む。
【００３５】
選択肢として、
前記第１ネットワーク選択モジュールの基づかれている前記選択ポリシーは、
端末の端末属性に対応するサブサービスネットワークを選択することと、
端末の端末サービスに対応するサブサービスネットワークを選択することと、
端末の端末属性と端末サービスとに対応するサブサービスネットワークとを選択すること、
のうちの一つ又は複数のポリシーを含む。
【００３６】
選択肢として、
前記第１ネットワーク選択モジュールの基づかれている前記選択ポリシーは、
端末の端末属性及び／又は端末サービスには、対応するサブサービスネットワークが存在しない場合、前記端末に一つのデフォルトのサブサービスネットワークを選択してあげることと、
端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげること、
のうちの一つ又は複数のポリシーをさらに含む。
【００３７】
選択肢として、
前記第１ネットワーク選択モジュールの基づかれている前記選択ポリシーは、前記端末が既に一つのサブサービスネットワークにアクセスしている場合、前記アクセスしているサブサービスネットワークを優先的に選択すること、
を含む。
【００３８】
選択肢として、
前記第１インターフェースモジュールの受信された端末から送信されたアクセス要求のメッセージは、
端末属性の情報、
端末サービスの情報、
端末のアクセス済みのサブサービスネットワークの情報、
のうちの一つ又は複数の情報を含む。
【００３９】
選択肢として、
前記端末属性は、通常移動ネットワーク端末、モノのインターネット端末、カーネットワーク端末、工業制御端末、遠隔医療端末と低移動性端末のうちの一つ又は複数を含み、
前記端末サービスは、移動インターネットサービス、バーチャル専用ネットワークサービス、モノのインターネットサービス、カーネットワークサービス、工業制御サービス、遠隔医療サービス、音声サービスとデバイス対デバイス（Ｄ２Ｄ）サービスのうちの一つ又は複数を含む。
【００４０】
選択肢として、
前記第１インターフェースモジュールの受信された前記端末から送信されたアクセス要求のメッセージは、前記端末のアクセスを決定した一つ又は複数のサブサービスネットワークの情報を含み、
前記第１ネットワーク選択モジュールは、前記端末のアクセスを決定した前記サブサービスネットワークの中から、前記端末に一つのサブサービスネットワークを選択してあげるように構成される。
【００４１】
選択肢として、
前記第１インターフェースモジュールは、
接続している前記複数のサブサービスネットワークの情報、又は前記複数のサブサービスネットワークのうちの現在使用可能なサブサービスネットワークの情報と、
端末属性及び／又は端末サービスと、サブサービスネットワークとの対応関係の情報、
のうちの一つ又は複数の情報を端末にブロードキャストするようにさらに構成される。
【００４２】
選択肢として、
前記サブサービスネットワークは、移動ネットワークアーキテクチャにおけるコアネットワークに含まれているサブサービスネットワーク、又は次世代移動ネットワークアーキテクチャにおける、端末にサービスを提供するサブサービスネットワークであり、前記アクセスノードは、移動ネットワークアーキテクチャにおける基地局、又は次世代移動ネットワークアーキテクチャにおける端末アクセスデバイスである。
【００４３】
選択肢として、
前記第１インターフェースモジュールの受信された前記端末から送信されたアクセス要求のメッセージは、
アタッチ要求メッセージと、
位置エリア更新メッセージ、
のうちの一つ又は複数メッセージを含む。
【００４４】
アクセスノードは、移動ネットワークアーキテクチャにおける基地局、又は次世代移動ネットワークアーキテクチャにおける端末アクセスデバイスである。
【００４５】
通信ネットワークであって、
複数のサブサービスネットワークを含むサービスネットワークと、
複数のサブサービスネットワークに接続するアクセスノードを含むアクセスネットワークと、
を含み、前記複数のサブサービスネットワークは、異なるサービスにサービスを提供するように構成され、前記アクセスノードは、接続している複数のサブサービスネットワークから、端末に一つのサブサービスネットワークアクセスを選択してあげるように構成される。
【００４６】
選択肢として、
前記アクセスノードは、上記のように記載されている前記アクセスノードを使用する。
【００４７】
端末であって、
複数のサブサービスネットワークの情報を取得し、アクセスノードに、第２ネットワーク選択モジュールのアクセスを決定した前記サブサービスネットワークの情報を含むアクセス要求のメッセージを送信するように構成されるインターフェースモジュールと、
前記インターフェースモジュールから取得した複数のサブサービスネットワーク中から、一つ又は複数のサブサービスネットワークを選択して、アクセスを決定したサブサービスネットワークとするように構成される第２ネットワーク選択モジュールと、
を含む。
【００４８】
選択肢として、
前記第２ネットワーク選択モジュールが前記インターフェースモジュールから取得した複数のサブサービスネットワーク中から、一つ又は複数のサブサービスネットワークを選択することは、
選択ポリシーに基づいて、前記インターフェースモジュールから取得した複数のサブサービスネットワーク中から、一つ又は複数のサブサービスネットワークを選択することを含み、前記選択ポリシーは、
端末属性、
端末サービス、及び
端末のアクセス済みのサブサービスネットワーク、
のうちの一つ又は複数のポリシー要素を含む。
【００４９】
選択肢として、
前記第２ネットワーク選択モジュールの基づかれている前記選択ポリシーは、
自端末の端末属性に対応するサブサービスネットワークを選択することと、
自端末の端末サービスに対応するサブサービスネットワークを選択することと、
自端末の端末属性と端末サービスとに対応するサブサービスネットワークを選択することと、
自端末が既に一つのサブサービスネットワークにアクセスしている場合、既にアクセスしている該サブサービスネットワークを優先的に選択すること、
のうちの一つ又は複数のポリシーを含む。
【００５０】
選択肢として、
前記インターフェースモジュールは、前記アクセスノードから送信されたブロードキャストメッセージから、端末属性及び／又は端末サービスと、サブサービスネットワークとの対応関係の情報を取得するようにさらに構成される。
【００５１】
選択肢として、
前記端末の端末属性は、通常移動ネットワーク端末、モノのインターネット端末、カーネットワーク端末、工業制御端末、遠隔医療端末と低移動性端末のうちの一つ又は複数を含み、
前記端末の端末サービスは、移動インターネットサービス、バーチャル専用ネットワークサービス、モノのインターネットサービス、カーネットワークサービス、工業制御サービス、遠隔医療サービス、音声サービスとデバイス対デバイス（Ｄ２Ｄ）サービスのうちの一つ又は複数を含む。
【００５２】
選択肢として、
前記端末は、移動ネットワークアーキテクチャにおける端末であり、前記アクセスノードは、移動ネットワークアーキテクチャにおける基地局、又は次世代移動ネットワークアーキテクチャにおける端末アクセスデバイスである。
【００５３】
選択肢として、
前記インターフェースモジュールは、
前記アクセスノードから送信されたブロードキャストメッセージから、前記複数のサブサービスネットワークの情報を取得するように構成される。
【００５４】
コンピュータ読み取り可能な記憶媒体であって、上記のいずれか一つの方法を実行するためのコンピュータでの実行可能な命令が記憶される。
【００５５】
上記技術案において、サービスネットワークの差異により複数のサブサービスネットワークを配置して、異なるサービスにサービスを提供し、サービスネットワークの集中設置による圧力を軽減することが可能である。端末又はアクセスノードは、アクセスに適合するサブサービスネットワークを柔軟に選択することができ、ユーザエクスペリエンスがより良くなる。
【００５６】
図面と詳細説明を読んで理解してから、その他の方面が分かるようになる。
【図面の簡単な説明】
【００５７】
【図１】相関技術におけるＳＡＥのアーキテクチャ図である。
【図２】本発明実施例１における通信ネットワークのアーキテクチャ図である。
【図３】図２の通信ネットワークが４Ｇ移動ネットワークにおいて実現する一つの例示的なアーキテクチャ図である。
【図４】図２の通信ネットワークが４Ｇ移動ネットワークにおいて実現するもう一つの例示的なアーキテクチャ図である。
【図５】本発明実施例２がアクセスノードに適用するアクセス方法のフローチャートである。
【図６】本発明実施例２におけるアクセスノードのモジュール図である。
【図７】本発明実施例３が端末に適用するアクセス方法のフローチャートである。
【図８】本発明実施例３における端末のモジュール図である。
【図９】本発明実施例３がアクセスノードに適用するアクセス方法のフローチャートである。
【図１０】本発明の適用例１のシグナリングのフローチャートである。
【図１１】本発明の適用例２のシグナリングのフローチャートである。
【図１２】本発明の適用例３のシグナリングのフローチャートである。
【図１３】本発明の適用例４のシグナリングのフローチャートである。
【図１４】本発明の適用例５のシグナリングのフローチャートである。
【図１５】本発明の適用例６のシグナリングのフローチャートである。
【発明を実施するための形態】
【００５８】
以下において、図面を結合して、本発明の実施形態を詳しく説明する。なお、衝突しない前提で、本発明の実施例及び実施例内の特定事項は、互いに適切な組み合わせすることが可能である。
【００５９】
実施例１
本実施例は通信ネットワークに関する。
【００６０】
図２に示すように、該通信ネットワークは、サービスネットワーク１とアクセスネットワーク２を含み、ここで、サービスネットワーク（サービスネットワーク層とも称する）１は、複数のサブサービスネットワーク１１を含み、前記複数のサブサービスネットワーク１１は、異なるサービスにサービスを提供するように構成される。アクセスネットワーク（アクセスネットワーク層、アクセス層とも称する）２は、複数のサブサービスネットワーク１１に接続するアクセスノード２１を含み、アクセスノード２１は、接続している複数のサブサービスネットワーク１１の中から、端末に一つのサブサービスネットワーク１１を選択してあげてアクセスするように構成される。サブサービスネットワーク１１は、一つ又は複数の可視の物理的なエンティティであっても良く、又は一つの物理的なデバイス内において動作する、仮想化技術で実現する一つの又は複数のソフトウェア機能エンティティであっても良く、又はアクセスデバイス（例えばｅＮｏｄｅＢ）において動作する、物理的なエンティティ内のソフトウェア機能エンティティであっても良い。複数のサブサービスネットワーク１１において、一つの（又は複数）サブサービスネットワークをデフォルトのサブサービスネットワークとすることが可能である。
【００６１】
図２に三つのサブサービスネットワークを示しているが、サブサービスネットワークの数は、二つ以上の任意の整数であっても良い。四つのアクセスノード２１を示しているが、アクセスノード２１の数は、任意の整数であっても良い。図に、個々のアクセスノード２１が三つのサブサービスネットワーク１１に接続しているが、それは例示的なものしかなく、アクセスネットワーク２は、少なくとも一つを複数のサブサービスネットワーク１１に接続するアクセスノード２１を含めばよく、単なる一つのアクセスノード２については、サービスネットワーク１内の一部のサブサービスネットワーク１１だけに接続しても良い。
【００６２】
また、個々のサブサービスネットワーク１１は、エリアに従ってさらに複数のローカルネットワークを分けることが可能であり、同一のエリアにおいて、複数のサブサービスネットワーク１１のローカルネットワークを設置しても良く、該エリアにおけるアクセスノード２１は、複数のサブサービスネットワーク１１と、該エリアのローカルネットワークで接続する。つまり、該複数のサブサービスネットワーク１１は、同時的にこのエリアをカバレージし、該エリア内の異なるサービスにサービスを提供する。
【００６３】
本実施例におけるサービスネットワーク１は、２Ｇ、３Ｇ、４Ｇにおけるコアネットワーク（ＣＮ：Ｃｏｒｅ  Ｎｅｔｗｏｒｋ）のような移動ネットワークアーキテクチャであっても良く、該移動ネットワークアーキテクチャにおけるコアネットワークは、複数のサブサービスネットワーク１１を含み、異なるサービスにサービスを提供する。ここで、異なるサブサービスネットワーク１１によってサービスするサービスは、重なり合っても良く、例えば、一つのデフォルトのサブサービスネットワークを設置し、該デフォルトのサブサービスネットワークは、複数のサービスにサービスを提供する。５Ｇのような次世代移動ネットワークアーキテクチャにおいて、コアネットワークと基地局との明確なけじめがないかもしれず、こういう時に、上記のサブサービスネットワーク１１は、次世代移動ネットワークアーキテクチャにおける、端末にサービスを提供するサブサービスネットワークである。本発明は、移動ネットワークアーキテクチャにも限らず、サービスネットワーク１は、その他のネットワークにおいてサービスにサービスを提供する機能エンティティ等々であても良い。アクセスノードは、ＢＳ、ＮｏｄｅＢ、ｅＮｏｄｅＢ等のような移動ネットワークアーキテクチャにおける基地局であっても良く、その他のアクセス機能を備えるアクセスノード、例えば中継局、アクセスポイント（ＡＰ）などであっても良い。アクセスノードは、次世代移動ネットワークアーキテクチャにおける端末アクセスデバイス、又はその他のネットワークにおいて端末にネットワーク接続サービスを提供する機能エンティティであっても良い。
【００６４】
図３に示すように、本実施例において、通信ネットワークが４Ｇ移動ネットワークアーキテクチャに基づいて実現する時の、一つの例示的なネットワークアーキテクチャである。該例において、サービスの特性と要件に基づいて、進化型パケットコアネットワーク（ＥＰＣ：Ｅｖｏｌｖｅｄ  Ｐａｃｋｅｔ  Ｃｏｒｅ）を、サービス特性に従って差異化して設置し、複数のサブサービスネットワーク（サブＥＰＣネットワーク、サブコアネットワークとも呼ばれる）に分ける。図に含まれるＭＭＥとＳＡＥ−ＧＷの個々の楕円は、一つのサブサービスネットワークの一つのローカルネットワークを表し、ＥＰＣ１〜５でそれぞれ表現し、例示的に、図内のＥＰＣ１とＥＰＣ４は、同じく一つのサブサービスネットワークに属し、ＶｏＬＴＥ音声のみにサービスし、ＥＰＣ２とＥＰＣ５は、同じくもう一つのサブサービスネットワークに属し、モノのインターネット端末だけに用いられ、ＥＰＣ３は、別の一つのサブサービスネットワークに属し、カーネットワーク端末だけに用いられる。それに対して、アクセスノードｅＮｏｄｅＢは、同時に二つ又は三つのサブサービスネットワークのローカルネットワークと接続する。
【００６５】
現在、ＭＭＥとＳＡＥ−ＧＷとの災害リカバリーバックアップを解決するために、ＥＰＣデバイスはＰＯＯＬネットワーキングを採用することが多い。図４に示すように、本実施例において通信ネットワークが４Ｇ移動ネットワークアーキテクチャに基づいて実現する時の、もう一つの例示的なネットワークアーキテクチャである。該ネットワークアーキテクチャは、ＰＯＯＬネットワーキング方式を利用し、図に二つのＰＯＯＬを示しており、即ちＰＯＯＬ１とＰＯＯＬ２である。個々ののＰＯＯＬは、複数セットのＭＭＥとＳＡＥ−ＧＷデバイスを含み、ＰＯＯＬに対応するｅＮｏｄｅＢは、ＰＯＯＬ内の個々のＭＭＥと接続している。図に示すように、本実施例における一つのＰＯＯＬに、複数のサブサービスネットワークのローカルネットワークを含み、例として、ＰＯＯＬ１は、三つのサブサービスネットワークのローカルネットワークを含み、ＰＯＯＬ２は、二つのサブサービスネットワークのローカルネットワークを含み、個々のローカルネットワークは、１セット又は複数セットのＭＭＥとＳＡＥ−ＧＷを含むことが可能である。個々のｅＮｏｄｅＢは、対応するＰＯＯＬ内の個々のサブサービスネットワークと接続する。
【００６６】
本実施例の通信ネットワークにおいて、同一の物理位置は、複数のサブサービスネットワークよりカバレージされることが可能である。
【００６７】
端末がアクセスする時に（端末が初期にアクセスする時に、又は端末が初期にアクセスしてから、アイドル状態になり、別の位置エリアに移動して位置更新を行う時に）、一つのサブサービスネットワークを選択する必要があり、アクセスノードデシジョン方式、端末デシジョン方式を使用することが可能である。
【００６８】
アクセスノードデシジョン方式において、端末がｅＮｏｄｅＢを通してアクセスする時に、該ｅＮｏｄｅＢによって、接続している複数のサブサービスネットワークから、端末に一つのサブサービスネットワークアクセスを選択してあげる。
【００６９】
端末デシジョン方式において、端末は、アクセスするサブサービスネットワークを自ら選択してから、ｅＮｏｄｅＢに通知する。
【００７０】
本実施例の通信ネットワークにおけるアクセスノード、端末及びそれのサブサービスネットワークの選択処理、後述の実施例に説明する。
【００７１】
本実施例における通信ネットワークは、サービスネットワークの差異により複数のサブサービスネットワークを配置して、異なるサービスにサービスを提供し、サービスネットワークの集中設置による圧力を軽減することが可能である。端末又はアクセスノードは、アクセスに適合するサブサービスネットワークを柔軟に選択することができ、ユーザエクスペリエンスがより良くなる。
【００７２】
実施例２
本実施例は、アクセスノードデシジョン方式を利用するアクセス方法を提供し、複数のサブサービスネットワークに接続するアクセスノードに適用し、前記複数のサブサービスネットワークは、異なるサービスにサービスを提供するように設置される。一つの例において、前記サブサービスネットワークは、移動ネットワークアーキテクチャにおけるコアネットワーク（例えばＥＰＣ）に含まれるサブサービスネットワークであり、前記アクセスノードは、移動ネットワークアーキテクチャにおける基地局（例えばｅＮｏｄｅＢ）であり、次世代移動ネットワークアーキテクチャにおける端末アクセスデバイスであっても良く、例えば、５Ｇにおいてコアネットワークと基地局とは明確なけじめがないかもしれない。
【００７３】
図５に示すように、本実施例におけるアクセス方法は、ステップ１１０〜ステップ１３０を含む。
【００７４】
ステップ１１０において、アクセスノードは、端末から送信されたアクセス要求のメッセージを受信する。
【００７５】
本ステップにおいて、端末から送信されたアクセス要求のメッセージは、初期にアクセスする時に送信されたアタッチ要求メッセージ、位置エリアを更新する時に送信された位置エリア更新メッセージなどであっても良い。ここの位置エリアは、ネットワークで定義されている複数の位置と関係するエリアであっても良い、例えばトラッキングエリア、ルーティングエリア、位置エリアとその他の定義されているエリア等々である。
【００７６】
ステップ１２０において、アクセスノードは、選択ポリシーに基づいて、前記複数のサブサービスネットワークの中から、前記端末に一つのサブサービスネットワークを選択してあげる。
【００７７】
選択ポリシーは、アクセスノードにおいて設定しても良く、又はその他のノードから取得しても良い。
【００７８】
ステップ１３０において、アクセスノードは、選択した前記サブサービスネットワークに、前記端末のアクセス要求のメッセージを送信する。
【００７９】
本ステップにおいて、アクセスノードは、端末から送信されたアクセス要求のメッセージを転送しても良く、改めてパッケージしてから、選択したサブサービスネットワークに送信しても良い。
【００８０】
上記のステップ１２０において、前記選択ポリシーは、キャリアによって設定しても良く、端末属性、端末サービス、サブサービスネットワーク負荷、サブサービスネットワークの使用可能な状態、端末のアクセス済みのサブサービスネットワークのうちの一つ又は複数のポリシー要素（即ち、選択時の考慮する必要のある情報／パラメータ）を含むことが可能である。
【００８１】
●端末属性は、通常移動ネットワーク端末（例えば現在の２Ｇ、３Ｇ、４Ｇ端末など）、モノのインターネット端末、カーネットワーク端末、工業制御端末、遠隔医療端末と低移動性端末のうちの一つ又は複数を含み、ここでは、一つずつ列挙しない。
【００８２】
●端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含み、ここでは、一つずつ列挙しない。
【００８３】
●サブサービスネットワーク負荷は、負荷について複数のレベルを設定することができ、負荷が設定の閾値より高い場合、アクセスが失敗になり得り、負荷バランスは考慮の要素とすることも可能である。
【００８４】
●サブサービスネットワークの使用可能な状態は、即ちサブサービスネットワークの使用可能又は使用不可（例えば接続の切断）である。
【００８５】
●端末のアクセス済みのサブサービスネットワークは、端末が一つのサブサービスネットワークにアクセスした後に移動した場合、再度のアクセスが必要になる可能性があり、こういう時に、端末のアクセス済みのサブサービスネットワークをポリシー要素とすることが可能である。
【００８６】
上記のポリシー要素の中の、端末属性の情報、端末サービスの情報と端末のアクセス済みのサブサービスネットワークの情報は、端末から送信されたアクセス要求のメッセージに含まれても良い。ここで、端末サービスは、アクセス時の要求のサービスを指しており、端末サービスの情報は、アクセスポイント名称（ＡＰＮ：Ａｃｃｅｓｓ  Ｐｏｉｎｔ  Ｎａｍｅ）、又は新たに拡張して追加されるフィールドを含むことが可能であり、ＡＰＮと端末サービスとの間に対応関係が存在する。アクセスノードは、ＡＰＮに基づいて端末サービスを識別することができる。例えば、４Ｇ端末がアタッチの時に、要求する必要のあるサービスを同時に決定することが可能であり、一つの接続確立メッセージを含み、接続確立メッセージ内のＡＰＮは、サービスを表す。アクセスノードは、エンドツーエンドの検出方式、又はサブサービスネットワークから通知する方式によって、サブサービスネットワーク負荷とサブサービスネットワークの使用可能な状態を知ることができる。
【００８７】
前記選択ポリシーは、
●端末の端末属性に対応するサブサービスネットワークを選択することと、
●端末の端末サービスに対応するサブサービスネットワークを選択することと、
●端末の端末属性と端末サービスとに対応するサブサービスネットワークとを選択することと、
●端末の端末属性及び／又は端末サービスには、対応するサブサービスネットワークが存在しない場合、前記端末に一つのデフォルトのサブサービスネットワークを選択してあげることと、
●端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげることと、
●端末がすでに一つのサブサービスネットワークにアクセスしている場合、前記アクセスしているサブサービスネットワークを優先的に選択すること、
のうちの一つ又は複数のポリシーを含む。
【００８８】
本実施例において、端末属性及び／又は端末サービスと、サブサービスネットワークとの対応関係は、アクセスノードのローカルに記憶されているが、アクセスノードはその他のノードに問い合わせして得ても良い。端末属性と端末サービスという二つのポリシー要素が両方とも存在する場合、サブサービスネットワークとの対応をそれぞれ確立しても良く、組み合わせの方式でサブサービスネットワークと対応しても良い（例えば上記の３番目のポリシーである）。
【００８９】
デフォルトのサブサービスネットワークは一つの又は複数を有しても良い。端末属性と端末サービスとは、サブサービスネットワークとそれぞれ対応する場合において、端末の端末属性が対応するサブサービスネットワークが存在しない場合（記憶されている対応関係にこのような端末属性が存在せず、又はアクセスノードがこのような端末属性に対応するサブサービスネットワークに接続していない）、それにデフォルトのサブサービスネットワークを選択してあげても良いが、端末の端末サービスに基づいて、対応するサブサービスネットワークを改めてサーチしても良く、見つからない場合であれば、端末にデフォルトのサブサービスネットワークを選択してあげる。
【００９０】
選択したサブサービスネットワークは、いずれも使用不可で、又は負荷が高すぎる場合、アクセスが失敗になる。
【００９１】
一つの例において、ｅＮｏｄｅＢは、端末属性に基づいて、サブコアネットワークを選択することは、
端末がモノのインターネット端末である場合、サブＥＰＣネットワーク１にアクセスし、
端末がカーネットワーク端末である場合、サブＥＰＣネットワーク２にアクセスし、
端末が遠隔医療端末である場合、サブＥＰＣネットワーク３にアクセスし、
端末属性に基づいて、対応するサブＥＰＣネットワークが見つからない場合、デフォルトのサブＥＰＣネットワーク１をアクセスする、
ようになる。
【００９２】
別の一つの例において、ｅＮｏｄｅＢが端末サービスに基づいて、サブコアネットワークポリシーを選択することは、
端末が専用ＶＰＮサービスを要求する場合、サブＥＰＣネットワーク１にアクセスし、
端末がＶｏＬＴＥサービスを要求する場合、サブＥＰＣネットワーク２にアクセスし、
端末がＤ２Ｄサービスを要求する場合、サブＥＰＣネットワーク３にアクセスし、
端末サービスに基づいて、対応するサブＥＰＣネットワークが見つからない場合、デフォルトのサブＥＰＣネットワーク１をアクセスする、
ようになる。
【００９３】
もう一つの例において、ｅＮｏｄｅＢが端末属性と端末サービスとの組み合わせを用いて、サブサービスネットワークを選択することは、
端末がモノのインターネット端末であり、且つＤ２Ｄサービスを要求する場合、サブＥＰＣネットワーク１にアクセスし、
端末がモノのインターネット端末であり、移動インターネットサービスを要求する場合、サブＥＰＣネットワーク２にアクセスする、
ようになる。
【００９４】
さらに一つの例において、ｅＮｏｄｅＢが、サブサービスネットワーク負荷、サブサービスネットワークの使用可能な状態を結合して、サブサービスネットワークを選択することは、
端末サービス、端末属性に基づいて、選択した（それぞれに選択、組み合わせしてから選択）サブＥＰＣネットワーク（非デフォルトのサブＥＰＣネットワーク）が使用不可である場合、デフォルトのサブＥＰＣネットワーク１を選択し、
端末サービス、端末属性に基づいて、選択した（それぞれに選択、組み合わせしてから選択）サブＥＰＣネットワーク（非デフォルトのサブＥＰＣネットワーク）の負荷が高すぎる場合、デフォルトのサブＥＰＣネットワーク１を選択し、
端末にアクセスデフォルトのサブＥＰＣネットワーク１を選択してあげたが、デフォルトのサブＥＰＣネットワーク１が使用不可で、又は負荷が高すぎる場合、ユーザのアクセスを拒否する、
ようになる。
【００９５】
それに応じて、本実施例はアクセスノードをさらに提供し、図６に示すように、
端末から送信されたアクセス要求のメッセージを受信するように構成される第１インターフェースモジュール１０と、
自アクセスノードから接続している複数のサブサービスネットワークから、前記端末に一つのサブサービスネットワークを選択してあげるように構成される第１ネットワーク選択モジュール２０と、
選択した前記サブサービスネットワークに、前記端末のアクセス要求のメッセージを送信するように構成される第２インターフェースモジュール３０と、
を含み、ここで、前記複数のサブサービスネットワークは、異なるサービスにサービスを提供するように構成される。
【００９６】
選択肢として、
前記第１ネットワーク選択モジュール２０は、
選択ポリシーに基づいて、前記複数のサブサービスネットワークの中から、前記端末に一つのサブサービスネットワークを選択してあげるように構成され、ここで、前記選択ポリシーは、
端末属性、
端末サービス、
サブサービスネットワーク負荷、
サブサービスネットワークの使用可能な状態、及び
端末のアクセス済みのサブサービスネットワーク、
のうちの一つ又は複数のポリシー要素を含む。
【００９７】
選択肢として、
前記第１ネットワーク選択モジュール２０の基づかれている前記選択ポリシーは、
端末の端末属性に対応するサブサービスネットワークを選択することと、
端末の端末サービスに対応するサブサービスネットワークを選択することと、
端末の端末属性と端末サービスとに対応するサブサービスネットワークとを選択すること、
のうちの一つ又は複数のポリシーを含む。
【００９８】
選択肢として、
前記第１ネットワーク選択モジュール２０の基づかれている前記選択ポリシーは、
端末の端末属性及び／又は端末サービスには、対応するサブサービスネットワークが存在しない場合、前記端末に一つのデフォルトのサブサービスネットワークを選択してあげることと、
端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげること、
のうちの一つ又は複数のポリシーをさらに含む。
【００９９】
選択肢として、
前記第１ネットワーク選択モジュール２０の基づかれている前記選択ポリシーは、前記端末が既に一つのサブサービスネットワークにアクセスしている場合、前記アクセスしているサブサービスネットワークを優先的に選択することを含む。
【０１００】
選択肢として、
前記第１インターフェースモジュール１０の受信した、端末から送信されたアクセス要求のメッセージは、
端末属性の情報、
端末サービスの情報、
端末のアクセス済みのサブサービスネットワークの情報、
のうちの一つ又は複数の情報を含む。
【０１０１】
選択肢として、
前記端末属性は、通常移動ネットワーク端末、モノのインターネット端末、カーネットワーク端末、工業制御端末、遠隔医療端末と低移動性端末のうちの一つ又は複数を含み、ここでは、一つずつ列挙しない。
【０１０２】
前記端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含含み、ここでは、一つずつ列挙しない。
【０１０３】
選択肢として、
前記サブサービスネットワークは、移動ネットワークアーキテクチャにおけるコアネットワークに含まれているサブサービスネットワーク、又は次世代移動ネットワークアーキテクチャにおける、端末にサービスを提供するサブサービスネットワークであり、前記アクセスノードは、移動ネットワークアーキテクチャにおける基地局、又は次世代移動ネットワークアーキテクチャにおける端末アクセスデバイスである。
【０１０４】
選択肢として、
前記第１インターフェースモジュール１０の受信した前記端末から送信されたアクセス要求のメッセージは、
アタッチ要求メッセージ、
位置エリア更新メッセージ、
のうちの一つ又は複数メッセージを含む。
【０１０５】
実施例３
本実施例において、端末デシジョン方式のアクセス方法を提供し、実施例１に記載されている通信ネットワークの端末に適用し、該通信ネットワークは、複数のサブサービスネットワークを含み、端末が一つのサブサービスネットワークにアクセスするのは、ノードアクセスを通する必要がある。一つの例において、前記サブサービスネットワークは、移動ネットワークアーキテクチャにおけるコアネットワーク（例えばＥＰＣ）に含まれるサブサービスネットワークであり、前記アクセスノードは、移動ネットワークアーキテクチャにおける基地局（例えばｅＮｏｄｅＢ）、又は次世代移動ネットワークアーキテクチャにおける端末アクセスデバイスである。
【０１０６】
図７に示すように、本実施例におけるアクセス方法は、ステップ２１０〜ステップ２３０を含む。
【０１０７】
ステップ２１０において、端末は複数のサブサービスネットワークの情報を取得する。
【０１０８】
本ステップにおいて、端末は、アクセスノードから送信されたブロードキャストメッセージから、前記複数のサブサービスネットワークの情報を取得することができるが、それに限らず、例えば、サブサービスネットワークの情報は、設定情報として端末に記憶されても良く、又はプロトコルに取り決めても良い。
【０１０９】
ステップ２２０において、端末は、前記複数のサブサービスネットワークの中から、一つ又は複数のサブサービスネットワークを選択して、アクセスを決定したサブサービスネットワークとする。
【０１１０】
本ステップにおいて、端末は、選択ポリシーに基づいて、前記複数のサブサービスネットワークの中から、一つ又は複数のサブサービスネットワークを選択し、ここで、前記選択ポリシーは、端末属性の情報、端末サービスの情報、及び端末のアクセス済みのサブサービスネットワークの情報のうちの一つ又は複数のポリシー要素を含む。
【０１１１】
前記選択ポリシーは、
●自端末の端末属性に対応するサブサービスネットワークを選択することと、
●自端末の端末サービスに対応するサブサービスネットワークを選択することと、
●自端末の端末属性と端末サービスとに対応するサブサービスネットワークを選択することと、
●自端末が既に一つのサブサービスネットワークにアクセスしている場合、既にアクセスしている該サブサービスネットワークを優先的に選択すること、
のうちの一つ又は複数のポリシーを含むことが可能である。
【０１１２】
ここで、前記端末の端末属性は、通常移動ネットワーク端末、モノのインターネット端末、カーネットワーク端末、工業制御端末、遠隔医療端末と低移動性端末のうちの一つ又は複数（本実施例における移動ネットワークアーキテクチャは、モノのインターネット、カーネットワーク、工業制御ネットワーク、医療ネットワークなどをその中に統合しているため、モノのインターネット端末、カーネットワーク端末、工業制御端末、遠隔医療端末は、該移動ネットワークの専用端末と見なせる）を含み、ここでは、一つずつ列挙しない。前記端末の端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含み、ここでは、一つずつ列挙しない。
【０１１３】
端末属性と端末サービスとは、サブサービスネットワークとそれぞれ対応しても良く、組み合わせしてからサブサービスネットワークと対応しても良い（上記３番目ののポリシーのように）。端末は、前記アクセスノードから送信されたブロードキャストメッセージから、端末属性及び／又は端末サービスと、サブサービスネットワークとの対応関係の情報を取得することができ、又は、前記対応関係情報は、設定情報としてローカルに記憶されても良く、又はプロトコルに取り決めても良い。
【０１１４】
一つの例において、端末が自分自身のサービス属性に基づいて、サブコアネットワークポリシーを選択することは、
自端末がモノのインターネット端末である場合、サブＥＰＣネットワーク１にデシジョンしてアクセスし、
自端末がカーネットワーク端末である場合、サブＥＰＣネットワーク２にデシジョンしてアクセスし、
自端末が遠隔医療端末である場合、サブＥＰＣネットワーク３にアクセスすることを決定する、
ようになる。
【０１１５】
もう一つの例において、端末が自分自身の端末サービスに基づいて、サブコアネットワークポリシーを選択することは、
端末が専用ＶＰＮサービスを要求する場合、サブＥＰＣネットワーク１にアクセスするように要求し、
端末がＶｏＬＴＥサービスを要求する場合、サブＥＰＣネットワーク２に優先的にアクセスし、
端末がＤ２Ｄサービスを要求する場合、サブＥＰＣネットワーク３に優先的にアクセスする、
ようになる。
【０１１６】
別の一つの例において、端末が同時に端末属性と端末サービスとを用いて、サブサービスネットワークを選択することは、
自端末がモノのインターネット端末であり、且つＤ２Ｄサービスを要求する場合、サブＥＰＣネットワーク１に優先的にアクセスし、
自端末がモノのインターネット端末であり、且つ移動インターネットサービスを要求する場合、サブＥＰＣネットワーク２に優先的にアクセスする、
ようになる。
【０１１７】
ステップ２３０において、端末はアクセスノードに、アクセスを決定した前記サブサービスネットワークの情報を含むアクセス要求のメッセージを送信する。
【０１１８】
本ステップにおけるアクセス要求のメッセージは、アタッチ要求メッセージ、及び位置エリア更新メッセージのうちの一つ又は複数のメッセージを含むことが可能である。
【０１１９】
それに応じて、本実施例は、端末をさらに提供し、図８に示すように、
複数のサブサービスネットワークの情報を取得し、アクセスノードに、第２ネットワーク選択モジュール６０でアクセスを決定した前記サブサービスネットワークの情報を含むアクセス要求のメッセージを送信するように構成されるインターフェースモジュール５０と、
インターフェースモジュール５０から取得した複数のサブサービスネットワークから、一つ又は複数のサブサービスネットワークを選択して、アクセスを決定したサブサービスネットワークとするように構成される第２ネットワーク選択モジュール６０と、
を含む。
【０１２０】
選択肢として、
前記第２ネットワーク選択モジュール６０は、
選択ポリシーに基づいて、前記複数のサブサービスネットワークの中から、一つ又は複数のサブサービスネットワークを選択するように構成され、ここで、前記選択ポリシーは、
端末属性、
端末サービス、及び
端末のアクセス済みのサブサービスネットワーク、
のうちの一つ又は複数のポリシー要素を含む。
【０１２１】
選択肢として、
前記ネットワーク選択モジュールの基づかれている前記選択ポリシーは、
自端末の端末属性に対応するサブサービスネットワークを選択することと、
自端末の端末サービスに対応するサブサービスネットワークを選択することと、
自端末の端末属性と端末サービスとに対応するサブサービスネットワークを選択することと、
自端末が既に一つのサブサービスネットワークにアクセスしている場合、既にアクセスしている該サブサービスネットワークを優先的に選択すること、
のうちの一つ又は複数のポリシーを含む。
【０１２２】
選択肢として、
前記インターフェースモジュール５０は、前記アクセスノードから送信されたブロードキャストメッセージから、端末属性及び／又は端末サービスと、サブサービスネットワークとの対応関係の情報を取得するようにさらに構成される。
【０１２３】
選択肢として、
前記端末の端末属性は、通常移動ネットワーク端末、モノのインターネット端末、カーネットワーク端末、工業制御端末、遠隔医療端末と低移動性端末のうちの一つ又は複数を含み、ここでは、一つずつ列挙しない。
【０１２４】
前記端末の端末サービスは、移動インターネットサービス、バーチャル専用ネットワークサービス、モノのインターネットサービス、カーネットワークサービス、工業制御サービス、遠隔医療サービス、音声サービス、デバイス対デバイス（Ｄ２Ｄ）サービスのうちの一つ又は複数を含み、一つずつ列挙しない。
【０１２５】
選択肢として、
前記端末は、移動ネットワークアーキテクチャにおける端末であり、前記アクセスノードは、移動ネットワークアーキテクチャにおける基地局、又は次世代移動ネットワークアーキテクチャにおける端末アクセスデバイスである。
【０１２６】
選択肢として、
前記インターフェースモジュール５０が複数のサブサービスネットワークの情報を取得することは、
前記アクセスノードから送信されたブロードキャストメッセージから、前記複数のサブサービスネットワークの情報を取得すること、
を含む。
【０１２７】
本実施例において、アクセスするサブサービスネットワークを選択するように、端末によりデシジョンし、アクセスノードの対応する処理は、図９に示すように、ステップ３１０〜ステップ３３０を含む。
【０１２８】
ステップ３１０において、アクセスノードは端末から送信されたアクセス要求のメッセージを受信し、メッセージは、前記端末のアクセスを決定した一つ又は複数のサブサービスネットワークの情報を含む。
【０１２９】
本ステップにおけるアクセス要求のメッセージは、アタッチ要求メッセージ、位置エリア更新メッセージなどを含むことが可能である。
【０１３０】
ステップ３２０において、アクセスノードは、前記端末のアクセスを決定した前記サブサービスネットワークの中から、前記端末に一つのサブサービスネットワークを選択してあげる。
【０１３１】
端末のアクセスを決定したサブサービスネットワークが、一つしかない場合、そのまま該サブサービスネットワークを選択する。
【０１３２】
端末のアクセスを決定したサブサービスネットワークが、複数がある場合、アクセスノードは、その中から一つのサブサービスネットワークを選択することが可能であり、１番目のサブサービスネットワークを選択しても良く、相関するサブサービスネットワークの負荷状況を考慮し、負荷バランス原則に基づいて選択する。
【０１３３】
端末アクセスを決定したサブサービスネットワークは、すべて使用不可で、又は負荷が高すぎる場合、アクセスが失敗になる。
【０１３４】
ステップ３３０において、アクセスノードは、選択した前記サブサービスネットワークに、前記端末のアクセス要求のメッセージを送信する。
【０１３５】
選択肢として、アクセスノードは、
接続している前記複数のサブサービスネットワークの情報、又は前記複数のサブサービスネットワークのうちの現在使用可能なサブサービスネットワークの情報、
端末属性及び／又は端末サービスと、サブサービスネットワークとの対応関係の情報、
のうちの一つ又は複数の情報も端末にブロードキャストする。
【０１３６】
それに応じて、本実施例アクセスノードに含まれるモジュールは、さらに図６を参照することが可能であり、
端末から送信されたアクセス要求のメッセージを受信するように構成される第１インターフェースモジュール１０’と、
前記端末のアクセスを決定した前記サブサービスネットワークの中から、前記端末に一つのサブサービスネットワークを選択してあげるように構成される第２ネットワーク選択モジュール２０’と、
選択した前記サブサービスネットワークに、前記端末のアクセス要求のメッセージを送信するように構成される第２インターフェースモジュール３０’と、
を含み、メッセージは、前記端末のアクセスを決定した一つ又は複数のサブサービスネットワークの情報を含む。
【０１３７】
選択肢として、
第１インターフェースモジュール３０は、
接続している前記複数のサブサービスネットワークの情報、又は前記複数のサブサービスネットワークのうちの現在使用可能なサブサービスネットワークの情報と、
端末属性及び／又は端末サービスと、サブサービスネットワークとの対応関係の情報、
のうちの一つ又は複数の情報を端末にブロードキャストするようにさらに構成される。
【０１３８】
以下において幾つかの適用例を結合して説明する。
【０１３９】
適用例１
図１０に示すように、本適用例は、４Ｇネットワークアーキテクチャを例として、ｅＮｏｄｅＢは、端末属性ポリシー要素を用いて、端末に一つのサブコアネットワーク（Ｓｕｂ  ＣＮ）を選択してあげてアクセスする。
【０１４０】
ステップ５０１において、ＵＥは、サブコアネットワーク１とサブコアネットワーク２とが同時に接続されているｅＮｏｄｅＢのカバレージの中で、端末属性を含むアタッチ要求を行う。
【０１４１】
ステップ５０２において、ｅＮｏｄｅＢは端末属性に基づいて、ＵＥに、対応するサブコアネットワーク１を選択してあげてアクセスする。
【０１４２】
ステップ５０３において、ｅＮｏｄｅＢは、サブコアネットワーク１にアタッチ要求を送信する。
【０１４３】
ステップ５０４において、サブコアネットワーク１は、４Ｇのアタッチフローに従ってＵＥのアクセスを受ける。
【０１４４】
適用例２
図１１に示すように、本適用例は、４Ｇネットワークアーキテクチャを例として、ｅＮＢは、端末サービスポリシーを用いて、端末にサブコアネットワークを選択してアクセスしてあげる。
【０１４５】
ステップ６０１において、ＵＥは、サブコアネットワーク１とサブコアネットワーク２とが同時に接続されているｅＮｏｄｅＢのカバレージの中で、アタッチ要求を行い、シグナリングにはＡＰＮ情報を含む。
【０１４６】
ステップ６０２において、ｅＮｏｄｅＢは、ＡＰＮの示されている端末サービスに基づいて、対応するサブコアネットワーク１をＵＥに選択してあげてアクセスする。
【０１４７】
ステップ６０３において、ｅＮｏｄｅＢは、サブコアネットワーク１にアタッチ要求を送信する。
【０１４８】
ステップ６０４において、サブコアネットワーク１は、４Ｇのアタッチフローに従ってユーザのアクセスを受ける。
【０１４９】
適用例３
図１２に示すように、本適用例は、４Ｇネットワークアーキテクチャを例として、端末によってサブコアネットワークにアクセスすることを決定する。
【０１５０】
ステップ７０１において、ｅＮｏｄｅＢは、すべての接続しているサブコアネットワーク、又はローカル設定から、現在使用可能なサブコアネットワーク情報を取得する。
【０１５１】
ステップ７０２において、ｅＮｏｄｅＢは、現在使用可能なサブコアネットワーク１とサブコアネットワーク２の情報を、エアインターフェースで端末にブロードキャストする。
【０１５２】
ステップ７０３において、ＵＥは、自端末の端末属性及び／又は端末サービスに基づいて、サブコアネットワーク２にアクセスすることを決定する。
【０１５３】
ステップ７０４において、ＵＥは、ｅＮｏｄｅＢに対して、サブコアネットワーク２識別子を含むアタッチ要求を行う。
【０１５４】
ステップ７０５において、ｅＮｏｄｅＢは、サブコアネットワーク２にアタッチ要求を送信する。
【０１５５】
ステップ７０６において、サブコアネットワーク２は、４Ｇのアタッチフローに従ってユーザのアクセスを受ける。
【０１５６】
適用例４
図１３に示すように、本適用例は４Ｇネットワークアーキテクチャを例として、端末はアイドル状態で移動しており、位置更新時に、ｅＮｏｄｅＢによってサブコアネットワークを選択してアクセスする。
【０１５７】
ステップ８０１において、ＵＥは第１ｅＮＢによってアクセスし、サブコアネットワーク１と接続を確立し、アイドル状態にある。
【０１５８】
ステップ８０２において、ＵＥは、第２ｅＮＢのカバレージ範囲内に移動し、ＵＥは、端末属性情報及び既にアクセスしているサブコアネットワーク１の指示情報を含むトラッキングエリア更新要求を行う。
【０１５９】
ステップ８０３において、第２ｅＮＢは、ＵＥにすでにアクセスしているサブコアネットワーク１を優先的に選択してあげてアクセスする。
【０１６０】
ステップ８０４において、サブコアネットワーク１は、４Ｇトラッキングエリア更新フローに従ってＵＥのアクセスを受ける。
【０１６１】
適用例５
図１４に示すように、本適用例は４Ｇネットワークアーキテクチャを例として、端末はアイドル状態であり、別のサービスネットワーク範囲に移動してから、サービスネットワークを改めて選択する。
【０１６２】
ステップ９０１において、ＵＥは、第１ｅＮＢによってアクセスし、サブコアネットワーク１と接続を確立し、アイドル状態にある。
【０１６３】
ステップ９０２において、ＵＥは、第２ｅＮＢ（第１ｅＮＢと異なるサービスネットワークに属する）のカバレージ範囲に移動し、第２ｅＮＢからブロードキャストした使用可能なサブコアネットワーク２とサブコアネットワーク３の情報を受信する。
【０１６４】
ステップ９０３において、ブロードキャストしたサブコアネットワークに、すでにアクセスしているサブコアネットワーク１が存在しないため、ＵＥは、端末属性及び／又は端末サービスに基づいて、サブコアネットワーク２にアクセスすることを決定する。
【０１６５】
ステップ９０４において、ＵＥは、サブコアネットワーク２識別子を含むトラッキングエリア更新要求を行う。
【０１６６】
ステップ９０５において、第２ｅＮＢは、サブコアネットワーク２にトラッキングエリア更新要求を送信する。
【０１６７】
ステップ９０６において、サブコアネットワーク２は、サブコアネットワーク１からユーザ情報を取得する。
【０１６８】
ステップ９０７において、サブコアネットワーク１は、ユーザ情報をサブコアネットワーク２に送信する。
【０１６９】
ステップ９０８において、サブコアネットワーク１は、移動性管理コンテキストとユーザのベアラコンテキスト等を含むユーザ情報を本ネットワークから削除する。
【０１７０】
ステップ９０９において、サブコアネットワーク２は、ユーザのために移動性管理コンテキストを改めて作成し、ベアラコンテキストを改めて作成する。
【０１７１】
ステップ９１０において、サブコアネットワーク２は、ユーザにトラッキングエリア更新承認メッセージに送信し、ユーザのために改めて作成したベアラ情報、例えばユーザＩＰアドレス、ＱｏＳ等の情報を端末に送信する。
【０１７２】
ステップ９１１において、端末は、トラッキングエリア更新完了メッセージを返信する。
【０１７３】
異なるサービスネットワーク（例えば異なるキャリアの設置されたＥＰＣネットワーク）に含まれるサブサービスネットワークは相違しても良く、一部又は全部は同じであっても良い。
【０１７４】
適用例６
図１５に示すように、本適用例は４Ｇネットワークアーキテクチャを例として、端末は、接続状態で移動しており、ネットワーク側において同一のネットワーク内のハンドオーバーを実施し、ハンドオーバーが完了後に、ＵＥはトラッキングエリア更新フローを通して、サブサービスネットワークを改めて選択する。
【０１７５】
ステップ１００１において、ＵＥは、ソースｅＮＢによってアクセスし、サブコアネットワーク１と接続を確立し、接続状態にあり、アクセス時に、ＵＥによってネットワークを選択してアクセスする。
【０１７６】
ステップ１００２において、ＵＥは、ターゲットｅＮＢのカバレッジ範囲に移動し、ソースｅＮＢはハンドオーバー閾値に達したことを判断し、サブコアネットワーク１にハンドオーバー要求を行い、ターゲットｅＮＢは、サブコアネットワーク１とサブコアネットワーク２とを同時に接続する。
【０１７７】
ステップ１００３において、サブコアネットワーク１は、ハンドオーバー要求メッセージ内のターゲット識別子を用いて、ドメイン名を生成し、ＤＮＳによって解析させ、同一のネットワークをターゲットネットワークとして優先的に選択し、即ちサブコアネットワーク１である。
【０１７８】
ステップ１００４において、サブコアネットワーク１における内部のハンドオーバーフローは既知技術と同様に処理され、ＭＭＥに跨るハンドオーバー、またはＭＭＥ内容におけるハンドオーバーであっても良い。
【０１７９】
ステップ１００５において、ＵＥは、ターゲットｅＮＢの範囲内でエアインターフェースでブロードキャストされた使用可能なサブコアネットワーク１とサブコアネットワーク２情報を受信する。
【０１８０】
ステップ１００６において、ハンドオーバーが完了後に、ＵＥはサブコアネットワーク２にアクセスすることを決定する。
【０１８１】
ここで、端末がアクセスする時に、異なるサービスを要求する必要があるため、ネットワークを改めて選択するようにトリガーする。
【０１８２】
ステップ１００７において、ＵＥは、サブコアネットワーク２識別子を含むトラッキングエリア更新要求を行う。
【０１８３】
ステップ１００８において、Ｔａｒｇｅｔ  ｅＮＢは、トラッキングエリア更新要求をサブコアネットワーク２に送信する。
【０１８４】
ステップ１００９において、サブコアネットワーク２は、サブコアネットワーク１からユーザ情報を取得する。
【０１８５】
ステップ１０１０において、サブコアネットワーク１は、ユーザ情報をサブコアネットワーク２に送信する。
【０１８６】
ステップ１０１１において、サブコアネットワーク１は、移動性管理コンテキストとユーザのベアラコンテキスト等を含むユーザ情報を本ネットワークから削除する。
【０１８７】
ステップ１０１２において、サブコアネットワーク２は、ユーザのために移動性管理コンテキストを改めて作成し、ベアラコンテキストを改めて作成する。
【０１８８】
ステップ１０１３において、サブコアネットワーク２は、ユーザにトラッキングエリア更新承認メッセージを送信し、ユーザのために改めて作成したベアラ情報、例えばユーザＩＰアドレス、ＱｏＳ等の情報を端末に送信する。
【０１８９】
ステップ１０１４において、端末は、トラッキングエリア更新完了メッセージを返信する。
【０１９０】
当業者は、上記の実施例のすべて又は一部のステップは、コンピュータプログラムを用いて実現されても良いと理解することができ、前記コンピュータプログラムは、コンピュータ読み取り可能な記憶媒体に記憶されても良く、前記コンピュータプログラムは、対応するハードウェアプラットホーム上で（例えばシステム、デバイス、装置、パンツなど）実行され、実行時に、方法の実施例のステップのいずれか一つ又はその組み合わせを含む。
【０１９１】
選択肢として、上述実施例のすべて又は一部のステップは、集積回路で実現しても良く、これらのステップを一つの集積回路モジュールにそれぞれ作成しても良く、又は又はそれらの複数のモジュールとステップを単独の回路モジュールに作成して実現しても良い。
【０１９２】
上記の実施例における装置／機能モジュール/機能ユニットは、汎用のコンピュータ装置を利用して実現しても良く、単一のコンピュータ装置に統合しても良く、複数のコンピュータ装置により構成されるネットワークに配置しても良い。
【０１９３】
上記の実施例における装置／機能モジュール/機能ユニットは、ソフトウェア機能モジュールとして実現され、しかも独立な製品として販売又は使用する時に、コンピュータ読み取り可能な記憶媒体に記憶しても良い。上記に記載されているコンピュータ読み取り可能な記憶媒体は、読み取り専用記憶装置、磁気ディスク又はコンパクトディスクなどであっても良い。
【産業上の利用可能性】
【０１９４】
本発明実施例によって、サービスネットワークの差異により複数のサブサービスネットワークを配置して、異なるサービスにサービスを提供し、サービスネットワークの集中設置による圧力を軽減することが可能である。端末又はアクセスノードは、アクセスに適合するサブサービスネットワークを柔軟に選択することができ、ユーザエクスペリエンスがより良くなる。
【図１】
2018524845.tif 000003
【図２】
2018524845.tif 000004
【図３】
2018524845.tif 000005
【図４】
2018524845.tif 000006
【図５】
2018524845.tif 000007
【図６】
2018524845.tif 000008
【図７】
2018524845.tif 000009
【図８】
2018524845.tif 000010
【図９】
2018524845.tif 000011
【図１０】
2018524845.tif 000012
【図１１】
2018524845.tif 000013
【図１２】
2018524845.tif 000014
【図１３】
2018524845.tif 000015
【図１４】
2018524845.tif 000016
【図１５】
2018524845.tif 000017
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
アクセス方法であって、複数のサブサービスネットワークに接続するアクセスノードに適用し、前記複数のサブサービスネットワークは、異なるサービスにサービスを提供するように構成され、
端末から送信されたアクセス要求のメッセージを受信することと、
前記複数のサブサービスネットワークの中から、前記端末に一つのサブサービスネットワークを選択してあげることと、
選択した前記サブサービスネットワークに、前記端末のアクセス要求のメッセージを送信することと、
を含む、前記アクセス方法。
【請求項２】
前記複数のサブサービスネットワークの中から、前記端末に一つのサブサービスネットワークを選択してあげることは、
選択ポリシーに基づいて、前記複数のサブサービスネットワークの中から、前記端末に一つのサブサービスネットワークを選択してあげることを含み、前記選択ポリシーは、
端末属性、
端末サービス、
サブサービスネットワーク負荷、
サブサービスネットワークの使用可能な状態、及び
端末のアクセス済みのサブサービスネットワーク、
のうちの一つ又は複数のポリシー要素を含む、請求項１に記載のアクセス方法。
【請求項３】
前記選択ポリシーは、
端末の端末属性に対応するサブサービスネットワークを選択することと、
端末の端末サービスに対応するサブサービスネットワークを選択することと、
端末の端末属性と端末サービスとに対応するサブサービスネットワークとを選択すること、
のうちの一つ又は複数のポリシーを含む、請求項２に記載のアクセス方法。
【請求項４】
前記選択ポリシーは、
端末の端末属性及び／又は端末サービスには、対応するサブサービスネットワークが存在しない場合、前記端末に一つのデフォルトのサブサービスネットワークを選択してあげることと、
端末の端末属性及び／又は端末サービスに対応されている非デフォルトのサブサービスネットワークが使用不可で、又は負荷が設定閾値より高い場合、前記端末に一つのデフォルトのサブサービスネットワークを選択してあげること、
のうちの一つ又は複数のポリシーをさらに含む請求項３に記載のアクセス方法。
【請求項５】
前記選択ポリシーは、前記端末が既に一つのサブサービスネットワークにアクセスしている場合、前記アクセスしているサブサービスネットワークを優先的に選択すること、
を含む、請求項２又は３又は４に記載のアクセス方法。
【請求項６】
前記端末から送信されたアクセス要求のメッセージは、
端末属性の情報と、
端末サービスの情報と、
端末のアクセス済みのサブサービスネットワークの情報、
のうちの一つ又は複数の情報を含む、請求項２又は３又は４に記載のアクセス方法。
【請求項７】
前記端末から送信されたアクセス要求のメッセージは、前記端末のアクセスを決定した一つ又は複数のサブサービスネットワークの情報を含み、
前記複数のサブサービスネットワークの中から、前記端末に一つのサブサービスネットワークを選択してあげることは、前記端末のアクセスを決定した前記サブサービスネットワークの中から、前記端末に一つのサブサービスネットワークを選択してあげることを含む、
請求項１に記載のアクセス方法。
【請求項８】
接続している前記複数のサブサービスネットワークの情報、又は前記複数のサブサービスネットワークのうちの現在使用可能なサブサービスネットワークの情報と、
端末属性及び／又は端末サービスと、サブサービスネットワークとの対応関係の情報、
のうちの一つ又は複数の情報を端末にブロードキャストすることをさらに含む、
請求項１〜４、７のいずれか１項に記載のアクセス方法。
【請求項９】
前記サブサービスネットワークは、移動ネットワークアーキテクチャにおけるコアネットワークに含まれているサブサービスネットワーク、又は次世代移動ネットワークアーキテクチャにおける、端末にサービスを提供するサブサービスネットワークであり、前記アクセスノードは、移動ネットワークアーキテクチャにおける基地局、又は次世代移動ネットワークアーキテクチャにおける端末アクセスデバイスである。
請求項１に記載のアクセス方法。
【請求項１０】
前記端末から送信されたアクセス要求のメッセージは、
アタッチ要求メッセージと、
位置エリア更新メッセージ、
のうちの一つ又は複数メッセージを含む、
請求項１〜４、７、９のいずれか１項に記載のアクセス方法。
【請求項１１】
アクセス方法であって、端末に適用し、
複数のサブサービスネットワークの情報を取得することと、
前記複数のサブサービスネットワークの中から、一つ又は複数のサブサービスネットワークを選択して、アクセスを決定したサブサービスネットワークとすることと、
アクセスノードに、アクセスを決定した前記サブサービスネットワークの情報を含むアクセス要求のメッセージを送信することと、
を含む、前記アクセス方法。
【請求項１２】
前記複数のサブサービスネットワークの中から、一つ又は複数のサブサービスネットワークを選択することは、
選択ポリシーに基づいて、前記複数のサブサービスネットワークの中から、一つ又は複数のサブサービスネットワークを選択することを含み、
前記選択ポリシーは、
端末属性、
端末サービス、及び、
端末のアクセス済みのサブサービスネットワーク、
のうちの一つ又は複数のポリシー要素を含む、請求項１１に記載のアクセス方法。
【請求項１３】
前記選択ポリシーは、
自端末の端末属性に対応するサブサービスネットワークを選択することと、
自端末の端末サービスに対応するサブサービスネットワークを選択することと、
自端末の端末属性と端末サービスとに対応するサブサービスネットワークを選択することと、
自端末が既に一つのサブサービスネットワークにアクセスしている場合、既にアクセスしている該サブサービスネットワークを優先的に選択すること、
のうちの一つ又は複数のポリシーを含む、請求項１２に記載のアクセス方法。
【請求項１４】
前記端末は、前記アクセスノードから送信されたブロードキャストメッセージから、端末属性及び／又は端末サービスと、サブサービスネットワークとの対応関係の情報を取得すること、
をさらに含む、請求項１２又は１３に記載のアクセス方法。
【請求項１５】
前記複数のサブサービスネットワークの情報を取得することは、
前記アクセスノードから送信されたブロードキャストメッセージから、前記複数のサブサービスネットワークの情報を取得すること、
を含む、請求項１１〜１３のいずれか１項に記載のアクセス方法。
【国際調査報告】
2018524845.tif 000018
2018524845.tif 000019
2018524845.tif 000020
2018524845.tif 000021